(57)【要約】【課題】本発明は、遊技釘を調整するハンマを振り上げるスペースを確保でき、メンテナンス性を向上することができる遊技台を提供することを目的とする。【解決手段】パチンコ機１００は、遊技領域１２４を有する遊技盤２００と、遊技可能な第１の状態で遊技盤２００を支持する遊技枠と、遊技盤２００の遊技領域１２４に配設され、遊技球の落下の方向に変化を与える特定の遊技釘２３８ａとを備えている。遊技枠は、本体１０４と、遊技盤２００が第１の状態にある場合に、遊技釘２３８ａの近傍に配置される前面枠扉１０６と、遊技釘２３８ａを調整するための第２の状態で遊技盤２００を支持する遊技盤保持ヒンジ３１６とを備えている。遊技釘２３８ａと前面枠扉１０６との遊技盤２００表面に沿う方向における距離は、第１の状態では距離Ｄ１であり、第２の状態では距離Ｄ１よりも遠い距離Ｄ２である。【選択図】図６
2011072713.tif 000002
【特許請求の範囲】
【請求項１】
遊技領域を有する遊技盤と、
遊技可能な第１の状態で前記遊技盤を支持する遊技枠と、
前記遊技盤の前記遊技領域に配設され、遊技球の落下の方向に変化を与える特定の遊技釘と、
を備えた遊技台であって、
前記遊技盤が前記第１の状態にある場合に、前記特定の遊技釘の近傍に配置される特定の部品と、
前記特定の遊技釘を調整するための第２の状態で前記遊技盤を支持する釘調整用支持部と、
を前記遊技枠に備え、
前記特定の遊技釘と前記特定の部品との前記遊技盤表面に沿う方向における距離は、
前記第１の状態では第１の距離であり、
前記第２の状態では前記第１の距離よりも遠い第２の距離としたこと
を特徴とする遊技台。
【請求項２】
請求項１記載の遊技台において、
前側から前記遊技領域を臨むための遊技窓を設けた前面扉手段を所定の回動方向に回動可能に支持する支持部を前記遊技枠に設け、
前記第１の状態の場合よりも前記第２の状態の場合の方が、前記支持部に近い前記遊技盤の側部が前記前側に突出すること
を特徴とする遊技台。
【請求項３】
請求項２記載の遊技台において、
前記遊技盤が前記第２の状態にある場合には、
開放状態にある前記前面扉手段を前記支持部を介して閉鎖状態に回動させることが禁止されていること
を特徴とする遊技台。
【請求項４】
請求項２又は３に記載の遊技台において、
閉鎖状態にある前記前面扉手段を前記支持部を介して開放状態に回動させた場合に、
前記遊技盤が前記第１の状態から前記第２の状態に連動して移動すること
を特徴とする遊技台。
【請求項５】
請求項２乃至４のいずれか１項に記載の遊技台において、
前記遊技領域における前記支持部に近い領域に、遊技球が通過することで図柄の変動が開始されるゲート手段が設けられていること
を特徴とする遊技台。
【発明の詳細な説明】
【技術分野】
【０００１】
本発明は、パチンコ機等に代表される遊技台に関する。
【背景技術】
【０００２】
従来、枠に平行に取り付けられた遊技盤の盤面に備えられた遊技釘の調整を行う際に、枠および前面扉が邪魔になっていた。これは、遊技盤の側面近傍に配置された遊技釘を調整する際に、遊技盤側面近傍の枠および前面扉のせいでハンマを振りかぶるストロークを十分に確保できないためであった。ハンマを用いずにテコの原理を利用して釘調整を行う器具はあるが、支点となる位置を傷つける等の問題があり好まれてはいなかった。
【０００３】
上記問題を解決するために、予め遊技盤の端部近傍の遊技釘を端部から所定の距離離間させた状態に備えているものがあった。しかし、この構成においては、端部から離間させた分だけ遊技領域を圧迫するため、遊技領域が小さくなるといった問題があった。
【０００４】
特許文献１には、左右方向に開閉される前面扉が釘調整を妨げるため前面扉の開閉方向を上下方向とした遊技機が開示されている。
【発明の概要】
【発明が解決しようとする課題】
【０００５】
しかし、上記構成を用いた場合においても、遊技盤の端部近傍には枠等の部材が依然として配置されているため、端部近傍に配置された遊技釘の調整を容易に行うことができなかった。
【０００６】
本発明の目的は、遊技釘を調整するハンマを振り上げるスペースを確保でき、メンテナンス性を向上することができる遊技台を提供することにある。
【課題を解決するための手段】
【０００７】
上記目的は、遊技領域を有する遊技盤と、遊技可能な第１の状態で前記遊技盤を支持する遊技枠と、前記遊技盤の前記遊技領域に配設され、遊技球の落下の方向に変化を与える特定の遊技釘と、を備えた遊技台であって、前記遊技盤が前記第１の状態にある場合に、前記特定の遊技釘の近傍に配置される特定の部品と、前記特定の遊技釘を調整するための第２の状態で前記遊技盤を支持する釘調整用支持部と、を前記遊技枠に備え、前記特定の遊技釘と前記特定の部品との前記遊技盤表面に沿う方向における距離は、前記第１の状態では第１の距離であり、前記第２の状態では前記第１の距離よりも遠い第２の距離としたことを特徴とする遊技台によって達成される。
【発明の効果】
【０００８】
本発明によれば、遊技釘を調整するハンマを振り上げるスペースを確保でき、メンテナンス性を向上することができる。
【図面の簡単な説明】
【０００９】
【図１】本発明の第１の実施の形態によるパチンコ機１００を正面側（遊技者側）から見た外観斜視図である。
【図２】本発明の第１の実施の形態によるパチンコ機１００を背面側から見た外観図である。
【図３】本発明の第１の実施の形態によるパチンコ機１００の遊技盤２００を正面から見た略示正面図である。
【図４】本発明の第１の実施の形態によるパチンコ機１００において遊技釘２３８を調整するための状態を模式的に示す斜視図である。
【図５】本発明の第１の実施の形態によるパチンコ機１００の本体１０４の構成を模式的に示す斜視図である。
【図６】本発明の第１の実施の形態によるパチンコ機１００の本体１０４、前面枠扉１０６及び遊技盤２００の状態を模式的に示す上面図であり、（ａ）は第１の状態を示す図であり、（ｂ）は第１の状態から前面枠扉１０６を開放した状態を示す図であり、（ｃ）は第２の状態を示す図である。
【図７】本発明の第２の実施の形態によるパチンコ機１００の本体１０４及び遊技盤２００の状態を模式的に示す上面図であり、（ａ）は第１の状態を示す図であり、（ｂ）は第２の状態を示す図である。
【図８】本発明の第３の実施の形態によるパチンコ機１００の本体１０４、前面枠扉１０６及び遊技盤２００の状態を模式的に示す上面図であり、（ａ）は第１の状態を示す図であり、（ｂ）は第２の状態を示す図である。
【図９】本発明の第４の実施の形態によるパチンコ機１００において第２の状態を模式的に示す斜視図である。
【図１０】本発明の第４の実施の形態によるパチンコ機１００の本体１０４、前面枠扉１０６及び遊技盤２００の状態を模式的に示す上面図であり、（ａ）は第１の状態を示す図であり、（ｂ）は第２の状態を示す図である。
【図１１】本発明の第４の実施の形態によるパチンコ機１００のスライド部材６００ａの動作を模式的に示す図であり、（ａ）は第１の状態を示す図であり、（ｂ）は第１の状態と第２の状態との中間の状態を示す図であり、（ｃ）は第２の状態を示す図である。
【図１２】本発明の第５の実施の形態によるパチンコ機１００の構成を模式的に示す斜視図であり、（ａ）は第１の状態から前面枠扉１０６を開いた状態を示す図であり、（ｂ）は第２の状態を示す図である。
【図１３】本発明の第５の実施の形態によるパチンコ機１００における第２の状態での遊技盤２００と支持部材７００との位置関係を模式的に示す図である。
【図１４】本発明の第６の実施の形態によるパチンコ機１００の構成を模式的に示す斜視図であり、（ａ）は第１の状態から前面枠扉１０６を開いた状態を示す図であり、（ｂ）は第２の状態を示す図である。
【図１５】本発明の第６の実施の形態によるパチンコ機１００の係止部８００の構成を模式的に示す斜視図であり、（ａ）は係止部８００を収納凹部８０４内に収納した状態を示す図であり、（ｂ）は係止部８００を被係止部８０２に係止させるときの状態を示す図である。
【図１６】本発明の第７の実施の形態によるパチンコ機１００の構成を模式的に示す斜視図である。
【図１７】本発明の第７の実施の形態によるパチンコ機１００の本体１０４、前面枠扉１０６及び遊技盤２００の状態を模式的に示す上面図である。
【発明を実施するための形態】
【００１０】
以下、図面を用いて、本発明の第１の実施の形態に係る遊技台（例えば、パチンコ機１００等の弾球遊技機やスロット機等の回胴遊技機）について詳細に説明する。まず、図１を用いて、本発明の実施形態に係るパチンコ機１００の全体構成について説明する。なお、同図はパチンコ機１００を正面側（遊技者側）から見た外観斜視図である。パチンコ機１００は、外部的構造として、外枠１０２と、本体１０４と、前面枠扉１０６と、球貯留皿付扉１０８と、発射装置１１０と、遊技盤２００と、をその前面に備える。外枠１０２は、遊技機設置営業店に設けられた設置場所（島設備等）へと固定させるための縦長方形状から成る木製の枠部材である。
【００１１】
本体１０４は、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。
【００１２】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部１１６とした扉部材である。なお、この前面枠扉１０６には、開口部１１６にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。
【００１３】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６の演出態様に変化を与えるチャンスボタン１３６と、チャンスボタン１３６を発光させるチャンスボタンランプ１３８と、遊技店に設置されたカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。
【００１４】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１５】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部１１６から観察することができる。
【００１６】
図２は、図１のパチンコ機１００を背面側から見た外観図である。パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００１７】
払出装置１５２は、筒状の部材からなり、その内部には、不図示の払出モータとスプロケットと払出センサとを備えている。スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００１８】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部へ出力する。なお、この払出センサを通過した遊技球は、不図示の球レールを通過してパチンコ機１００の表側に配設した上皿１２６に到達するように構成しており、パチンコ機１００は、この構成により遊技者に対して球の払い出しを行う。
【００１９】
払出装置１５２の図中左側には、遊技全般の制御処理を行う主制御部を構成する主基板１５６を収納する主基板ケース１５８、主制御部が生成した処理情報に基づいて演出に関する制御処理を行う第１副制御部を構成する第１副基板１６０を収納する第１副基板ケース１６２、第１副制御部が生成した処理情報に基づいて演出に関する制御処理を行う第２副制御部を構成する第２副基板１６４を収納する第２副基板ケース１６６、遊技球の払出に関する制御処理を行う払出制御部を構成するとともに遊技店員の操作によってエラーを解除するエラー解除スイッチ１６８を備える払出基板１７０を収納する払出基板ケース１７２、遊技球の発射に関する制御処理を行う発射制御部を構成する発射基板１７４を収納する発射基板ケース１７６、各種電気的遊技機器に電源を供給する電源管理部を構成するとともに遊技店員の操作によって電源をオンオフする電源スイッチ１７８と電源投入時に操作されることによってＲＷＭクリア信号を主制御部に出力するＲＷＭクリアスイッチ１８０とを備える電源基板１８２を収納する電源基板ケース１８４、および払出制御部とカードユニットとの信号の送受信を行うＣＲインターフェース部１８６を配設している。
【００２０】
図３は、遊技盤２００を正面から見た略示正面図である。遊技盤２００には、外レール２０２と内レール２０４とを配設し、遊技球が転動可能な遊技領域１２４を区画形成している。遊技領域１２４の略中央には、演出装置２０６を配設している。この演出装置２０６には、略中央に装飾図柄表示装置２０８を配設し、その周囲に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２を配設している。なお、以下、普通図柄を「普図」、特別図柄を「特図」と称する場合がある。演出装置２０６は、演出可動体２２４を動作して演出を行うものである。
【００２１】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成する。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２２】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００２３】
普図保留ランプ２１６は、保留している普図変動遊技の数を示すためのランプであり、本実施例では、普図変動遊技を所定数（例えば、２つ）まで保留することを可能としている。第１特図保留ランプ２１８および第２特図保留ランプ２２０は、保留している特図変動遊技の数を示すためのランプであり、本実施例では、特図変動遊技をそれぞれ所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００２４】
また、この演出装置２０６の周囲には、一般入賞口２２６と、普図始動口２２８と、第１特図始動口２３０と、第２特図始動口２３２と、可変入賞口２３４を配設している。
【００２５】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００２６】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。普図始動口２２８は、前面枠扉１０６及び本体１０４の回動軸となるヒンジ部１１２の支軸に近い領域に設けられている。
【００２７】
第１特図始動口２３０は、本実施例では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【００２８】
第２特図始動口２３２は、電動チューリップ（電チュー）と呼ばれ、本実施例では第１特図始動口２３０の真下に１つだけ配設している。この第２特図始動口２３２は、左右に開閉自在な羽根２３２ａを備え、羽根２３２ａの閉鎖中は球の入球が不可能であり、普図変動遊技に当選し、普図表示装置が当り図柄を停止表示した場合に羽根２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００２９】
可変入賞口２３４は、大入賞口またはアタッカーと呼ばれ、本実施例では遊技盤２００の中央部下方に１つだけ配設している。この可変入賞口２３４は、開閉自在な扉部材２３４ａを備え、扉部材２３４ａの閉鎖中は球の入球が不可能であり、特図変動遊技に当選して特図表示装置２１２、２１４が大当り図柄を停止表示した場合に扉部材２３４ａが所定の時間間隔（例えば、開放時間２９秒、閉鎖時間１．５秒）、所定の回数（例えば１５回）で開閉する。可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３０】
さらに、これらの入賞口や始動口の近傍には、風車と呼ばれる円盤状の打球方向変換部材２３６や、遊技球の落下の方向に変化を与える遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【００３１】
このパチンコ機１００は、遊技者が上皿１２６に貯留している球を発射レールの発射位置に供給し、遊技者の操作ハンドルの操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００３２】
次に、パチンコ機１００の演出装置２０６について説明する。
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００３３】
ワープ装置２４２は、演出装置２０６の左上方に設けたワープ入口２４２ａに入った遊技球を演出装置２０６の前面下方のステージ２４４にワープ出口２４２ｂから排出する。
【００３４】
ステージ２４４は、ワープ出口２４２ｂから排出された球や遊技盤２００の釘などによって乗り上げた球などが転動可能であり、ステージ２４４の中央部には、通過した球が第１特図始動口２３０へ入球し易くなるスペシャルルート２４４ａを設けている。
【００３５】
演出可動体２２４は、本実施形態では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００３６】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００３７】
次に、本実施の形態のパチンコ機１００において、遊技釘２３８の角度等を調整するための状態について図４乃至図６を用いて説明する。図４は、遊技釘２３８の角度等を調整するための状態にあるパチンコ機１００を正面右上から見た構成を模式的に示す斜視図である。図４では、複数の遊技釘２３８のうち、ヒンジ部１１２の支軸に近い領域に設けられている普図始動口２２８上方の２本の遊技釘２３８ａ、２３８ｂのみの配置位置を丸印で示している。
【００３８】
図４に示すように、遊技釘２３８を調整する際には、ヒンジ部１１２の鉛直方向に延びる支軸を回動軸として、前面枠扉１０６を水平面内で開方向に所定の角度（例えば９０°以上）回動させる。これにより前面枠扉１０６が開放状態となり、遊技盤２００の前面が露出する。さらに本実施の形態では、露出した遊技盤２００のうちヒンジ部１１２側に位置する左側部２００ｂを、右側部２００ａを概ね軸として本体１０４から前側（正面側）に所定幅（例えば、数ｍｍ〜数十ｍｍ程度）引き出す。これにより、遊技盤２００は左側部２００ｂ側が前側に突出し、本体１０４に対して傾斜した状態になる。
【００３９】
以下、上記の状態を実現するための具体的構成について説明する。図５は、本体１０４を正面左上から見た構成を模式的に示す斜視図である。図６は、本体１０４、前面枠扉１０６及び遊技盤２００の状態を模式的に示す上面図であり、（ａ）は前面枠扉１０６が閉鎖状態にある遊技可能な状態（第１の状態）を示し、（ｂ）は第１の状態から前面枠扉１０６を開放した状態を示し、（ｃ）は遊技釘２３８を調整するための状態（第２の状態）を示している。図６の下方はパチンコ機１００の前側（遊技者側）を表している。
【００４０】
図５に示すように、本体１０４は、遊技盤２００が嵌め込まれて着脱自在に装着される長方形状の開口部３００を画定する枠状部３１０を上部に有している。枠状部３１０は、開口部３００にそれぞれ面する内壁面として、上面３１０ａ、右側面３１０ｂ、下面３１０ｃ及び左側面３１０ｄを備えている。枠状部３１０に嵌め込まれた遊技盤２００の脱落を防ぐために、上面３１０ａと下面３１０ｃとの間隔は、遊技盤２００の上下方向の高さと同一又はそれより若干広くなっている。右側面３１０ｂには、遊技盤２００の右側部２００ａが差し込まれて比較的緩く固定される遊技盤差込み部３１２が形成されている。本例では、遊技盤差込み部３１２は右側面３１０ｂの上部と下部に１つずつ形成されている。遊技盤２００の右側部２００ａは遊技盤差込み部３１２に対して緩く固定されるため、遊技盤２００の左側部２００ｂを前側に引き出すと、遊技盤２００は右側部２００ａを概ね軸としてある程度回動するようになっている。
【００４１】
図６に示すように、下面３１０ｃのうち左側面３１０ｄ寄りには、本体１０４に対し平行に直線状に延び、遊技盤２００の左右方向の幅よりも長さの短い案内溝３１４が形成されている。また図５及び図６に示すように、下面３１０ｃには、第２の状態において遊技盤２００を保持する遊技盤保持ヒンジ（釘調整用支持部）３１６が設けられている。遊技盤保持ヒンジ３１６の一端に形成された円柱形状のピン３１６ａは、案内溝３１４に対し摺動及び回動自在に差し込まれている。遊技盤保持ヒンジ３１６の他端には、遊技盤保持ヒンジ３１６の長手方向に平行に延び、案内溝３１４よりも長さの短い長孔３１６ｂが開口されている。長孔３１６ｂには、円柱形状のピン３１８が摺動及び回動自在に差し込まれている。ピン３１８は、遊技盤２００の底面であって左側部２００ｂ近傍に固定されている。案内溝３１４、遊技盤保持ヒンジ３１６及びピン３１８は、遊技盤２００の左側部２００ｂを前側に所定幅だけ突出させるための側部突出手段となるリンク機構を構成している。
【００４２】
例えば、遊技可能な第１の状態では、遊技盤保持ヒンジ３１６のピン３１６ａは、案内溝３１４の右端部に位置している。また同状態において、遊技盤２００のピン３１８は、下面３１０ｃに垂直に見て案内溝３１４の左端部にほぼ重なる位置に配置されている。
【００４３】
第１の状態では、遊技盤２００は、本体１０４の枠状部３１０により支持されている。またこの状態では、図６（ａ）に示すように、ヒンジ部１１２の支軸に近い遊技釘２３８ａと、前面枠扉１０６のヒンジ部１１２の支軸近傍の基端部との間の遊技盤２００表面に沿う方向における距離はＤ１である。
【００４４】
図６（ｂ）に示すように、前面枠扉１０６を開方向に例えば９０°以上回動させて開放状態としても、遊技釘２３８ａと前面枠扉１０６の基端部との間の遊技盤２００表面に沿う方向における距離は、第１の状態での距離Ｄ１からさほど変化しない。したがってこの状態では、前面枠扉１０６の基端部が邪魔になるため、遊技釘２３８の角度の調整が困難になる場合がある。
【００４５】
図６（ｃ）に示すように、遊技盤２００の左側部２００ｂが前側に引き出されると、遊技盤２００は、遊技盤差込み部３１２に差し込まれた右側部２００ａを概ね軸として回動する。これにより、遊技盤２００底面のピン３１８も前側に移動する。それに伴い、遊技盤保持ヒンジ３１６のピン３１６ａは案内溝３１４内を左側に向かって摺動する。この第２の状態では、遊技盤２００の右側部２００ａは本体１０４の遊技盤差込み部３１２により支持され、遊技盤２００の左側部２００ｂは遊技盤保持ヒンジ３１６により支持される。また第２の状態では、ヒンジ部１１２の支軸に近い遊技釘２３８ａと前面枠扉１０６との間の遊技盤２００表面に沿う方向における距離は、第１の状態での距離Ｄ１よりも遠いＤ２となる（Ｄ１＜Ｄ２）。さらに第２の状態では、遊技盤２００表面と前面枠扉１０６の後面とがなす角度θ１は、前面枠扉１０６の回動角度よりも大きい所定角度（例えば、９０°よりも大きい角度）になっている。
【００４６】
ここで、遊技盤２００の左側部２００ｂを最大限引き出すと、図６（ｃ）で破線で示すように、遊技盤保持ヒンジ３１６’は案内溝３１４に対して垂直になる。本実施の形態では、遊技盤２００の左側部２００ｂを最大限引き出したときのピン３１６ａ’の位置よりも左側にまで案内溝３１４が延伸している。このため、ピン３１６ａの位置を手動によりさらに左側に移動させ、案内溝３１４の左端部に位置させると、遊技盤２００の元の位置に戻る方向への回動が規制される。したがって、遊技盤２００に対し後方に向かう力が加えられても遊技盤２００が回動しない状態にすることができる。
【００４７】
以上説明したように、本実施の形態によるパチンコ機１００は、遊技領域１２４を有する遊技盤２００と、遊技可能な第１の状態で遊技盤２００を支持する遊技枠と、遊技盤２００の遊技領域１２４に配設され、遊技球の落下の方向に変化を与える特定の遊技釘２３８ａとを備えている。遊技枠は、本体１０４と、遊技盤２００が第１の状態にある場合に、遊技釘２３８ａの近傍に配置される前面枠扉１０６（特定の部品）と、遊技釘２３８ａを調整するための第２の状態で遊技盤２００を支持する遊技盤保持ヒンジ３１６（釘調整用支持部）とを備えている。遊技釘２３８ａと前面枠扉１０６との遊技盤２００表面に沿う方向における距離は、第１の状態では距離Ｄ１であり、第２の状態では距離Ｄ１よりも遠い距離Ｄ２である。
【００４８】
この構成によれば、第２の状態での遊技釘２３８ａと前面枠扉１０６との距離Ｄ２を第１の状態での距離Ｄ１よりも遠くすることにより、遊技釘２３８ａを調整するハンマを振り上げるスペースを確保でき、メンテナンス性が向上する。また、遊技釘２３８ａを枠の近傍に近づけて配置することで、遊技釘２３８の配置の自由度が上がる場合があるとともに、遊技領域１２４を広く使える場合がある。
【００４９】
また、本実施の形態によるパチンコ機１００は、前側から遊技領域１２４を臨むための開口部１１６（遊技窓）を設けた前面枠扉１０６（前面扉手段）を所定の回動方向に回動可能に支持するヒンジ部１１２（支持部）を遊技枠に設け、第１の状態の場合よりも第２の状態の場合の方が、ヒンジ部１１２に近い遊技盤２００の左側部２００ｂが前側に突出するようになっている。この構成によれば、第２の状態での遊技釘２３８ａと前面枠扉１０６との間の距離Ｄ２を第１の状態での距離Ｄ１よりも遠くすることが容易になる場合があるとともに、前面枠扉１０６が開口部１１６にガラス製の透明板部材１１８を備えたガラス枠であっても、開放したガラス枠が邪魔にならず釘調整のためにハンマを振り上げられる場合がある。
【００５０】
さらに、本実施の形態では、遊技盤２００の左側部２００ｂを前側に引き出すための機構としてリンク機構が用いられている。この構成によれば、簡素な構成で遊技盤２００の左側部２００ｂを前側に引き出すことができる場合があるとともに、左側部２００ｂを必要以上に引き出してしまうことを防止することができる場合がある。
【００５１】
また、本実施の形態では、遊技盤２００の左側部２００ｂを最大限に引き出したときのピン３１６ａの位置よりも左側にまで案内溝３１４が延伸している。この構成によれば、ピン３１６ａの位置を手動によりさらに左側に移動させて案内溝３１４の左端部に位置させることによって、遊技盤２００の元の位置に戻る方向への回動を規制することができる。したがって、遊技盤２００に対し後面側に向かう力が加えられても遊技盤２００が回動しない状態にすることができるため、遊技釘２３８の角度等の調整を容易に行うことができる場合がある。
【００５２】
さらに、本実施の形態によるパチンコ機１００は、遊技領域１２４におけるヒンジ部１１２（支持部）に近い領域に、遊技球が通過することで図柄の変動が開始される普図始動口２２８（ゲート手段）が設けられている。この構成によれば、普図始動口２２８周囲の遊技釘２３８ａ、２３８ｂの微調整を作業者に対しストレスを与えずに行わせることができる場合がある。
【００５３】
以上のように本実施の形態によれば、遊技盤２００端部近傍に釘調整の際に邪魔になる構成が無い位置まで遊技盤２００を移動させ保持することで、釘調整を容易に行うことが可能となる。また、遊技釘２３８を遊技盤２００端部近傍に配置することができるため、限られた遊技領域１２４に対して有効な配列で遊技釘２３８を備えることが可能となる。さらに、遊技盤２００の盤面が前側にせり出しているため、従来に比べ照明が当たりやすい位置で釘調整を行うことが可能となり、影による釘調整の間違い等を減らすことが可能となる。
【００５４】
次に、本発明の第２の実施の形態について図７を用いて説明する。本実施の形態によるパチンコ機１００は、主に、遊技盤２００の左側部２００ｂを前側に突出させるための機構において第１の実施の形態と異なっている。図７は、本実施の形態によるパチンコ機１００の本体１０４及び遊技盤２００の状態を模式的に示す上面図であり、（ａ）は遊技可能な第１の状態を示し、（ｂ）は遊技釘２３８（図７では図示せず）を調整するための第２の状態を示している。図７（ａ）、（ｂ）の下方はパチンコ機１００の前側を表している。
【００５５】
図７（ａ）、（ｂ）に示すように、パチンコ機１００の本体１０４は、遊技盤２００の右側部２００ａが差し込まれ、遊技盤２００を本体１０４に対してほぼ平行な状態で支持する第１遊技盤差込み部４００を右側面３１０ｂに有している。また本体１０４は、遊技盤２００の右側部２００ａが差し込まれ、左側部２００ｂが前側に突出した状態で遊技盤２００を支持する第２遊技盤差込み部４０２（釘調整用支持部）を側部突出手段として有している。第２遊技盤差込み部４０２は、第１遊技盤差込み部４００よりも後方に設けられ、第１遊技盤差込み部４００に対して斜めに形成されている。さらに本体１０４は、遊技盤２００の左側部２００ｂの一部により係止される被係止部４０８を有している。
【００５６】
遊技盤２００は、第１遊技盤差込み部４００及び第２遊技盤差込み部４０２のいずれにも差込み可能な突起部４０４を右側部２００ａに有している。突起部４０４が第１遊技盤差込み部４００に差し込まれた状態では、遊技盤２００の右側部２００ａは本体１０４に対して緩く固定される。これにより、左側部２００ｂを前側に引き出した場合に右側部２００ａを軸として遊技盤２００をある程度回動させることは可能であるが、右側部２００ａを前側に引き出すことは禁止される。
【００５７】
また遊技盤２００は、左側部２００ｂの側端面２００ｃから突出して被係止部４０８に係止するとともに、外力が加えられることにより側端面２００ｃよりも内側の遊技盤２００内部に収納可能な係止部４０６を有している。遊技盤２００には、係止部４０６の突出及び収納を切り替えるために、係止部４０６に対して外力を加えるための不図示の操作部が設けられている。係止部４０６が被係止部４０８に係止した状態では、遊技盤２００の左側部２００ｂを前側に引き出すことが禁止される。したがって、右側部２００ａの突起部４０４が第１遊技盤差込み部４００に差し込まれた状態で左側部２００ｂの係止部４０６が被係止部４０８に係止されると、遊技盤２００は本体１０４に対して平行な状態で支持され、遊技可能な第１の状態となる（図７（ａ）参照）。
【００５８】
上記の状態から、操作部を操作することにより係止部４０６に外力を加え、係止部４０６を遊技盤２００の側端面２００ｃよりも内側に収納すると、係止が解除されて遊技盤２００の左側部２００ｂを前側に引き出すことが可能になる。左側部２００ｂを前側に引き出すと、右側部２００ａの突起部４０４を第１遊技盤差込み部４００から抜脱することが可能になる。これにより、遊技盤２００を本体１０４から取り外すことができる。
【００５９】
本体１０４から取り外した遊技盤２００の突起部４０４を第２遊技盤差込み部４０２に差し込むと、遊技盤２００の左側部２００ｂが前側に突出した、遊技釘２３８を調整するための第２の状態となる（図７（ｂ）参照）。本例では、本体１０４の枠状部３１０の上面３１０ａと下面３１０ｃとの間隔が、遊技盤２００の上下方向の高さと同一又はそれより若干広くなっている。これにより、第２遊技盤差込み部４０２に加えて、上面３１０ａ及び下面３１０ｃでも第２の状態の遊技盤２００を支持できるため、第２の状態において遊技盤２００が本体１０４から脱落することをより確実に防ぐことができる。また、遊技盤２００背面に設けられる基板等に備えられたハーネスを予め余裕を持った長さにしておくことが好ましい。
【００６０】
本実施の形態では、第１の実施の形態と同様に、遊技盤２００の左側部２００ｂを前側に突出させることができるため、第２の状態での遊技釘２３８ａと前面枠扉１０６との距離Ｄ２を第１の状態での距離Ｄ１よりも遠くすることができる。
【００６１】
本実施の形態によるパチンコ機１００は、遊技領域１２４を有する遊技盤２００と、遊技可能な第１の状態で遊技盤２００を支持する遊技枠と、遊技盤２００の遊技領域１２４に配設され、遊技球の落下の方向に変化を与える特定の遊技釘２３８ａとを備えている。遊技枠は、本体１０４と、遊技盤２００が第１の状態にある場合に、遊技釘２３８ａの近傍に配置される前面枠扉１０６（特定の部品）と、遊技釘２３８ａを調整するための第２の状態で遊技盤２００を支持する第２遊技盤差込み部４０２（釘調整用支持部）とを備えている。遊技釘２３８ａと前面枠扉１０６との遊技盤２００表面に沿う方向における距離は、第１の状態では距離Ｄ１であり、第２の状態では距離Ｄ１よりも遠い距離Ｄ２である。
【００６２】
この構成によれば、第２の状態での遊技釘２３８ａと前面枠扉１０６との距離Ｄ２を第１の状態での距離Ｄ１よりも遠くすることにより、遊技釘２３８ａを調整するハンマを振り上げるスペースを確保でき、メンテナンス性が向上する。また、遊技釘２３８ａを枠の近傍に近づけて配置することで、遊技釘２３８の配置の自由度が上がる場合があるとともに、遊技領域１２４を広く使える場合がある。
【００６３】
また、本実施の形態によるパチンコ機１００は、前側から遊技領域１２４を臨むための開口部１１６（遊技窓）を設けた前面枠扉１０６（前面扉手段）を所定の回動方向に回動可能に支持するヒンジ部１１２（支持部）を遊技枠に設け、第１の状態の場合よりも第２の状態の場合の方が、ヒンジ部１１２に近い遊技盤２００の左側部２００ｂが前側に突出するようになっている。この構成によれば、第２の状態での遊技釘２３８ａと前面枠扉１０６との間の距離Ｄ２を第１の状態での距離Ｄ１よりも遠くすることが容易になる場合があるとともに、前面枠扉１０６が開口部１１６にガラス製の透明板部材１１８を備えたガラス枠であっても、開放したガラス枠が邪魔にならず釘調整のためにハンマを振り上げられる場合がある。
【００６４】
また、本実施の形態では、第２の状態で遊技盤２００を支持するために、第１の実施の形態で用いた遊技盤保持ヒンジ３１６のような別部材を用いる必要がない場合がある。したがって、本実施形態によれば、第１の実施の形態と比較して、部品点数を削減できる可能性がある。
【００６５】
次に、本発明の第３の実施の形態について図８を用いて説明する。本実施の形態によるパチンコ機１００は、主に、遊技盤２００の左側部２００ｂを前側に突出させるための機構において第１の実施の形態と異なっている。図８は、本実施の形態によるパチンコ機１００の本体１０４、前面枠扉１０６及び遊技盤２００の状態を模式的に示す上面図であり、（ａ）は遊技可能な第１の状態を示し、（ｂ）は遊技釘２３８（図８では図示せず）を調整するための第２の状態を示している。図８の下方はパチンコ機１００の前側を表している。
【００６６】
図８（ａ）、（ｂ）に示すように、パチンコ機１００の前面枠扉１０６の回動軸には、前面枠扉１０６の開閉動作に応じて回動するピニオンギア５０２が設けられている。遊技盤２００の左側部２００ｂには、ピニオンギア５０２と噛合し、右側部２００ａを概ね回動軸としてピニオンギア５０２の回動に連動して回動するラックギア５０４が設けられている。これにより、遊技盤２００は、前面枠扉１０６の回動と連動して右側部２００ａを概ね回動軸として回動し、左側部２００ｂが前側に突出するようになっている。すなわち、ピニオンギア５０２及びラックギア５０４は、遊技盤２００の左側部２００ｂを前側に突出させる側部突出手段として機能する。本例では、ピニオンギア５０２は前面枠扉１０６の回動軸の上端に設けられており、ラックギア５０４は前面枠扉１０６の上部に設けられている。
【００６７】
また、本体１０４の右側面３１０ｂには、第２の実施の形態の第１遊技盤差込み部４００と同様の構成の遊技盤差込み部５１０が設けられている。遊技盤２００の右側部２００ａには、第２の実施の形態の突起部４０４と同様の構成の突起部５１２が設けられている。
【００６８】
前面枠扉１０６が閉じられた状態では、遊技盤２００は本体１０４に対してほぼ平行な状態で支持され、遊技可能な第１の状態となる（図８（ａ）参照）。上記の状態から、前面枠扉１０６に対し開動作が行われると、前面枠扉１０６の回動に応じてピニオンギア５０２が回動し、ピニオンギア５０２の回動がラックギア５０４に伝達される。これにより、遊技盤２００は右側部２００ａを概ね回動軸として前面枠扉１０６と連動して回動し、遊技盤２００の左側部２００ｂが前側に突出して第２の状態となる（図８（ｂ）参照）。第２の状態では、遊技盤２００は、ピニオンギア５０２及びラックギア５０４や遊技盤差込み部５１０により支持される。
【００６９】
一方、開放状態の前面枠扉１０６に対し閉動作が行われると、前面枠扉１０６の逆方向への回動に応じてピニオンギア５０２が逆方向に回動し、ピニオンギア５０２の回動がラックギア５０４に伝達される。これにより、遊技盤２００は右側部２００ａを概ね回動軸として前面枠扉１０６に連動して上記とは逆方向に回動し、第１の状態に戻る。
【００７０】
本実施の形態では、第１の実施の形態と同様に、遊技盤２００の左側部２００ｂを前側に突出させることができるため、第２の状態での遊技釘２３８ａと前面枠扉１０６との距離Ｄ２を第１の状態での距離Ｄ１よりも遠くすることができる。
【００７１】
本実施の形態によるパチンコ機１００は、遊技領域１２４を有する遊技盤２００と、遊技可能な第１の状態で遊技盤２００を支持する遊技枠と、遊技盤２００の遊技領域１２４に配設され、遊技球の落下の方向に変化を与える特定の遊技釘２３８ａとを備えている。遊技枠は、本体１０４と、遊技盤２００が第１の状態にある場合に、遊技釘２３８ａの近傍に配置される前面枠扉１０６（特定の部品）と、遊技釘２３８ａを調整するための第２の状態で遊技盤２００を支持するピニオンギア５０２及びラックギア５０４（釘調整用支持部）とを備えている。遊技釘２３８ａと前面枠扉１０６との遊技盤２００表面に沿う方向における距離は、第１の状態では距離Ｄ１であり、第２の状態では距離Ｄ１よりも遠い距離Ｄ２である。
【００７２】
この構成によれば、第２の状態での遊技釘２３８ａと前面枠扉１０６との距離Ｄ２を第１の状態での距離Ｄ１よりも遠くすることにより、遊技釘２３８ａを調整するハンマを振り上げるスペースを確保でき、メンテナンス性が向上する。また、遊技釘２３８ａを枠の近傍に近づけて配置することで、遊技釘２３８の配置の自由度が上がる場合があるとともに、遊技領域１２４を広く使える場合がある。
【００７３】
また、本実施の形態によるパチンコ機１００は、前側から遊技領域１２４を臨むための開口部１１６（遊技窓）を設けた前面枠扉１０６（前面扉手段）を所定の回動方向に回動可能に支持するヒンジ部１１２（支持部）を遊技枠に設け、第１の状態の場合よりも第２の状態の場合の方が、ヒンジ部１１２に近い遊技盤２００の左側部２００ｂが前側に突出するようになっている。この構成によれば、第２の状態での遊技釘２３８ａと前面枠扉１０６との間の距離Ｄ２を第１の状態での距離Ｄ１よりも遠くすることが容易になる場合があるとともに、前面枠扉１０６が開口部１１６にガラス製の透明板部材１１８を備えたガラス枠であっても、開放したガラス枠が邪魔にならず釘調整のためにハンマを振り上げられる場合がある。
【００７４】
また本実施の形態では、閉鎖状態にある前面枠扉１０６（前面扉手段）をヒンジ部１１２（支持部）を介して開放状態に回動させた場合に、遊技盤２００が第１の状態から第２の状態に移動する。このため、前面枠扉１０６の開動作を行うと、遊技盤２００に対しては特別な操作を行うことなく、遊技盤２００の左側部２００ｂが前側に突出して第２の状態にすることが可能となる。したがって、前面枠扉１０６を開放した後、遊技釘２３８の調整を速やかに開始できる場合がある。
【００７５】
また本実施の形態では、開放状態にある前面枠扉１０６をヒンジ部１１２を介して閉鎖状態に回動させた場合に、遊技盤２００が第２の状態から第１の状態に移動する。このため、前面枠扉１０６の閉動作を行うと、遊技盤２００に対しては特別な操作を行うことなく、遊技盤２００が元の位置に戻り第１の状態にすることが可能となる。したがって、遊技盤２００を前側に引き出した状態のまま前面枠扉１０６を閉じてしまうミスを防ぐことができる場合がある。
【００７６】
さらに本実施の形態では、第２の状態の遊技盤２００は、ピニオンギア５０２が回動しない限り所定の角度位置で支持される。このため、前面枠扉１０６の開放状態が維持されれば、遊技盤２００の左側部２００ｂが前側に突出した状態も維持される。したがって、遊技釘２３８の調整を容易に行うことができる場合がある。
【００７７】
次に、本発明の第４の実施の形態について図９乃至図１１を用いて説明する。本実施の形態によるパチンコ機１００は、主に、遊技盤２００が本体１０４に対してほぼ平行な状態を維持したまま前側に突出することにおいて第１乃至第３の実施の形態と異なっている。図９は、本実施の形態によるパチンコ機１００において、遊技釘２３８を調整するための第２の状態を模式的に示す斜視図である。図１０は、本実施の形態によるパチンコ機１００の本体１０４、前面枠扉１０６及び遊技盤２００の状態を模式的に示す上面図であり、（ａ）は遊技可能な第１の状態を示し、（ｂ）は遊技釘２３８を調整するための第２の状態を示している。図１１は、後述するスライド部材６００ａの動作を模式的に示す図であり、（ａ）は第１の状態を示し、（ｂ）は第１の状態と第２の状態との中間の状態を示し、（ｃ）は第２の状態を示している。図１０の下方及び図１１の左方は、パチンコ機１００の前側を表している。
【００７８】
図９乃至図１１に示すように、パチンコ機１００は、本体１０４と遊技盤２００との間を連結する複数の長円板形状のスライド部材６００ａ、６００ｂを有している。本実施の形態では、遊技盤２００は長方形枠状の遊技盤保持枠６１０に嵌め込まれており、さらに遊技盤保持枠６１０は本体１０４の枠状部３１０に嵌め込まれて支持されている。遊技盤保持枠６１０の右側面６１０ｂと本体１０４の右側面３１０ｂとの間は、スライド部材６００ａにより連結されている。本例では、スライド部材６００ａは上部及び下部に１つずつ設けられている。遊技盤保持枠６１０の左側面６１０ｄと本体１０４の左側面３１０ｄとの間は、スライド部材６００ｂにより連結されている。本例では、スライド部材６００ｂは上部及び下部に１つずつ設けられている。本体１０４と遊技盤保持枠６１０との間がスライド部材６００ａ、６００ｂを介して連結されていることによって、遊技盤２００が嵌め込まれた遊技盤保持枠６１０を本体１０４に対して平行な状態を維持したまま前側に引き出すことができるようになっている。すなわち、スライド部材６００ｂは、遊技盤２００全体を前側に突出させる遊技盤突出手段として機能する。
【００７９】
スライド部材６００ａとスライド部材６００ｂとは互いに左右対称の構造を有しているため、以下、スライド部材６００ａを例に挙げて説明する。スライド部材６００ａは、一方の表面の一端側に形成された円柱形状のピン６０２と、他方の表面の他端側に形成された円柱形状のピン６０４とを有している。ピン６０２は、本体１０４の右側面３１０ｂに形成されて上下方向に延伸する案内溝６０６に対し、摺動及び回動自在に差し込まれている。ピン６０４は、遊技盤保持枠６１０の右側面６１０ｂに対し回動自在に接続されている。
【００８０】
遊技盤保持枠６１０が本体１０４に嵌め込まれている第１の状態では、スライド部材６００ａのピン６０２は案内溝６０６の下端部に位置しており、ピン６０４は例えば案内溝６０６の上端部に重なる位置に配置されている。すなわち、スライド部材６００ａの長手方向は鉛直上下方向に一致している。遊技盤保持枠６１０が前側に引き出されると、スライド部材６００ａのピン６０４も前側に移動し、それに伴いピン６０２が案内溝６０６内を上方に向かって摺動する。遊技盤保持枠６１０が最大限に引き出されると、ピン６０２は案内溝６０６の上端部に移動し、スライド部材６００ａの長手方向は水平方向（前後方向）に一致する。前側に引き出された遊技盤保持枠６１０は、スライド部材６００ａ、６００ｂにより支持される。遊技盤保持枠６１０の上下方向の位置は、例えば、遊技盤保持枠６１０の下面６１０ｃが本体１０４の下面３１０ｃや球貯留皿付扉１０８の上面等によって支持されることによって保たれる。
【００８１】
図１０（ａ）に示すように、遊技可能な第１の状態では、遊技盤２００の遊技釘２３８ａと前面枠扉１０６の基端部との間の遊技盤２００表面に沿う方向における距離はＤ１である。
【００８２】
図１０（ｂ）に示すように、前面枠扉１０６を開方向に例えば９０°より大きい角度に回動させた状態で遊技盤保持枠６１０を前側に引き出した第２の状態では、遊技盤２００の遊技釘２３８ａと前面枠扉１０６との間の遊技盤２００表面に沿う方向における距離は、距離Ｄ１よりも遠いＤ２となる。
【００８３】
本実施の形態によるパチンコ機１００は、遊技領域１２４を有する遊技盤２００と、遊技可能な第１の状態で遊技盤２００を支持する遊技枠と、遊技盤２００の遊技領域１２４に配設され、遊技球の落下の方向に変化を与える特定の遊技釘２３８ａとを備えている。遊技枠は、本体１０４と、遊技盤２００が第１の状態にある場合に、遊技釘２３８ａの近傍に配置される前面枠扉１０６（特定の部品）と、遊技釘２３８ａを調整するための第２の状態で遊技盤２００を支持するスライド部材６００ａ、６００ｂ（釘調整用支持部）とを備えている。遊技釘２３８ａと前面枠扉１０６との遊技盤２００表面に沿う方向における距離は、第１の状態では距離Ｄ１であり、第２の状態では距離Ｄ１よりも遠い距離Ｄ２である。
【００８４】
この構成によれば、第２の状態での遊技釘２３８ａと前面枠扉１０６との距離Ｄ２を第１の状態での距離Ｄ１よりも遠くすることにより、遊技釘２３８ａを調整するハンマを振り上げるスペースを確保でき、メンテナンス性が向上する。また、遊技釘２３８ａを枠の近傍に近づけて配置することで、遊技釘２３８の配置の自由度が上がる場合があるとともに、遊技領域１２４を広く使える場合がある。
【００８５】
次に、本発明の第５の実施の形態について図１２及び図１３を用いて説明する。図１２は、本実施の形態によるパチンコ機１００の構成を模式的に示す斜視図であり、（ａ）は第１の状態から前面枠扉１０６を開いた状態を示し、（ｂ）は遊技盤２００の左側部２００ｂを前側に引き出した第２の状態を示している。図１２に示すように、本実施の形態では、本体１０４の下面３１０ｃ（又は球貯留皿付扉１０８の上部）に、第２の状態での遊技盤２００を支持可能な支持部材７００が設けられている。支持部材７００は、例えば摩擦係数の比較的大きい部材（例えばゴム）で形成されている。
【００８６】
図１３は、第２の状態での遊技盤２００と支持部材７００との位置関係を模式的に示す図であり、図中左方がパチンコ機１００の前側を表している。図１３に示すように、支持部材７００の上面７００ａは、前側ほど高さが高くなるように傾斜している。上面７００ａの前面７００ｂ側での高さは遊技盤２００の底面２００ｄの高さよりも高くなっており、上面７００ａの後面７００ｃ側での高さは遊技盤２００の底面２００ｄの高さよりも低くなっている。これにより、遊技盤２００の例えば左側部２００ｂが前側に引き出されると、遊技盤２００は支持部材７００の上面７００ａに接触し、支持部材７００によって支持されるようになっている。
【００８７】
本実施の形態では、遊技盤２００が前側に引き出されたときに遊技盤２００を支持する支持部材７００が本体１０４又は球貯留皿付扉１０８に設けられている。このため、第２の状態において遊技盤２００の位置を安定させることができ、遊技釘２３８の調整が容易になる場合がある。また本実施の形態では、支持部材７００が摩擦係数の比較的大きい部材で形成されているため、第２の状態において遊技盤２００の位置をより安定させることができる場合がある。
【００８８】
さらに本実施の形態では、支持部材７００によって遊技盤２００の前側への突出幅を規制することができる。したがって、第２の状態において遊技盤２００の脱落を防止できる場合がある。
【００８９】
第２の状態において遊技盤２００の位置をさらに安定させるために、前側に引き出された遊技盤２００の底部が嵌り込む溝を支持部材７００の上面７００ａに形成してもよい。これにより、遊技釘２３８を調整する際の衝撃により遊技盤２００の位置がずれてしまうことを防止できる場合がある。したがって、遊技釘２３８の調整がさらに容易になる場合がある。
【００９０】
次に、本発明の第６の実施の形態について図１４及び図１５を用いて説明する。図１４は、本実施の形態によるパチンコ機１００の構成を模式的に示す斜視図であり、（ａ）は遊技可能な第１の状態から前面枠扉１０６を開いた状態を示し、（ｂ）は遊技盤２００の左側部２００ｂを前側に引き出した第２の状態を示している。図１４に示すように、前面枠扉１０６の後面側であってヒンジ部１１２の支軸近傍には、係止部８００が設けられている。本例では、係止部８００は上部と下部に１つずつ設けられている。係止部８００は、前面枠扉１０６の後面に形成された収納凹部８０４内に収納可能になっている。遊技盤２００の左側部２００ｂの側端面２００ｃには、係止部８００により係止される被係止部８０２が設けられている。
【００９１】
図１５は係止部８００の構成を模式的に示す斜視図であり、（ａ）は係止部８００を収納凹部８０４内に収納した状態を示し、（ｂ）は係止部８００を被係止部８０２に係止させるときの状態を示している。図１５に示すように、係止部８００は、収納凹部８０４内に設けられたほぼ水平な回動軸部８０６を一端に備え、例えば９０°程度回動可能であり、少なくとも図１５（ａ）、（ｂ）に示す２つの安定な状態をとるようになっている。
【００９２】
前面枠扉１０６が閉鎖されている第１の状態では、遊技盤２００又は本体１０４との干渉を防ぐため、係止部８００は収納凹部８０４に収納された状態にある。一方、遊技釘２３８を調整するための第２の状態では、遊技盤２００の左側部２００ｂが前側に引き出され、遊技盤２００の側端面２００ｃに形成された被係止部８０２が係止部８００により係止される。これにより、遊技盤２００は、左側部２００ｂが引き出された状態で係止部８００により保持される。また、係止部８００が被係止部８０２に係止した状態では、前面枠扉１０６が開放状態に維持され、閉鎖状態に回動させることが禁止される。すなわち、係止部８００及び被係止部８０２は、前面枠扉１０６を開放状態から閉鎖状態に回動させることを禁止するための係止手段として機能する。
【００９３】
本実施の形態では、遊技盤２００が第２の状態にある場合には、開放状態にある前面枠扉１０６（前面扉手段）をヒンジ部１１２（支持部）を介して閉鎖状態に回動させることが禁止された構成となっている。この構成によれば、遊技盤２００を前側に引き出した状態のまま、遊技盤２００遊技可能な状態に変化させることを忘れて前面枠扉１０６を閉じてしまうミスを防ぐことができる場合がある。
【００９４】
また本実施の形態では、第２の状態において前面枠扉１０６が開放状態に維持されるため、遊技釘２３８を調整する際に作業者が前面枠扉１０６を押さえておく必要がなくなる場合がある。
【００９５】
さらに本実施の形態では、第２の状態において遊技盤２００の位置を安定させることができるため、遊技釘２３８の調整が容易になる場合がある。
【００９６】
次に、本発明の第７の実施の形態について図１６及び図１７を用いて説明する。図１６は、本実施の形態によるパチンコ機１００の構成を模式的に示す斜視図である。図１７は、本体１０４、前面枠扉１０６及び遊技盤２００の状態を模式的に示す上面図である。図１６及び図１７に示すように、遊技盤２００は、ヒンジ部１１２に近い左側部２００ｂに、本体１０４に接続された回動軸９００を有している。これにより遊技盤２００は、本体１０４を基準として、少なくとも前面枠扉１０６の開方向とは逆方向に回動可能になっている。例えば回動軸９００には、遊技盤２００の逆方向への回動を所定の角度で規制する構造が設けられている。
【００９７】
遊技釘２３８を調整するための第２の状態では、回動軸９００を中心として遊技盤２００の右側部２００ａを前面枠扉１０６の開方向とは逆方向に所定の角度で回動させ、右側部２００ａを本体１０４に対して後方側に突出させるようになっている。すなわち、回動軸９００は、遊技盤２００の右側部２００ａを後方に突出させる側部突出手段として機能する。第２の状態での遊技盤２００は、回動軸９００により支持される。
【００９８】
一般に、前面枠扉１０６の開放角度を大きくするほど、遊技釘２３８の調整が容易になる。ところが、パチンコ機１００には隣接して台間機等が配置されているため、前面枠扉１０６の開放角度には限度がある場合が多い。
【００９９】
本実施の形態では、遊技盤２００を前面枠扉１０６の開方向とは逆方向に回動させることによって、前面枠扉１０６と遊技盤２００との間の角度θ２を前面枠扉１０６自体の開放角度よりも大きくしている（例えば９０°以上であり理想的には１８０°）。これにより、遊技盤２００前面を前面枠扉１０６から遠ざけることができるため、第２の状態での遊技釘２３８ａと前面枠扉１０６との距離Ｄ２を第１の状態での距離Ｄ１よりも遠くすることができる。
【０１００】
本実施の形態によるパチンコ機１００は、遊技領域１２４を有する遊技盤２００と、遊技可能な第１の状態で遊技盤２００を支持する遊技枠と、遊技盤２００の遊技領域１２４に配設され、遊技球の落下の方向に変化を与える特定の遊技釘２３８ａとを備えている。遊技枠は、本体１０４と、遊技盤２００が第１の状態にある場合に、遊技釘２３８ａの近傍に配置される前面枠扉１０６（特定の部品）と、遊技釘２３８ａを調整するための第２の状態で遊技盤２００を支持する回動軸９００（釘調整用支持部）とを備えている。遊技釘２３８ａと前面枠扉１０６との遊技盤２００表面に沿う方向における距離は、第１の状態では距離Ｄ１であり、第２の状態では距離Ｄ１よりも遠い距離Ｄ２である。
【０１０１】
この構成によれば、第２の状態での遊技釘２３８ａと前面枠扉１０６との距離Ｄ２を第１の状態での距離Ｄ１よりも遠くすることにより、遊技釘２３８ａを調整するハンマを振り上げるスペースを確保でき、メンテナンス性が向上する。また、遊技釘２３８ａを枠の近傍に近づけて配置することで、遊技釘２３８の配置の自由度が上がる場合があるとともに、遊技領域１２４を広く使える場合がある。
【０１０２】
また本実施の形態によれば、回動軸９００を中心として遊技盤２００を回動させることにより、第２の状態とすることができる。したがって、第１の状態から第２の状態に変化させる際に、遊技盤２００を前側に引き出したり本体１０４から取り外したりする必要がなくなる場合がある。
【０１０３】
さらに本実施の形態では、遊技盤２００の逆方向への回動を所定の角度で規制する構造が設けられている。したがって、遊技釘２３８を調整する際に遊技盤２００の位置を安定させることができるため、遊技釘２３８の調整が容易になる場合がある。
【０１０４】
本発明は上記実施の形態に限らず種々の変形が可能である。
例えば、上記第１の実施の形態では、遊技盤保持ヒンジ３１６が遊技盤２００の底面側にのみ設けられた例を挙げたが、本発明はこれに限られない。遊技盤保持ヒンジ３１６は、遊技盤２００の上面側に設けられていてもよいし、底面側及び上面側の両方に設けてられていてもよい。
【０１０５】
上記第１の実施の形態において、遊技盤保持ヒンジ３１６は着脱自在に設けられていてもよい。その場合、本体１０４及び遊技盤２００には、遊技盤保持ヒンジ３１６を取り付けるための取付け部が予め設けられ、例えば遊技釘２３８の調整を行う場合にのみ遊技盤保持ヒンジ３１６が取り付けられる。
【０１０６】
上記第４の実施の形態において、遊技盤保持枠６１０は、ばね等の弾性部材により常に前方に付勢された状態に構成し、前面枠扉１０６が開放されると前側にせり出すようにしてもよい。これにより、前面枠扉１０６の開動作を行うと、遊技盤２００及び遊技盤保持枠６１０に対しては特別な操作を行うことなく、遊技盤保持枠６１０を前側に突出させることができる。したがって、前面枠扉１０６を開放した後、遊技釘２３８の調整を速やかに開始できる場合がある。
【０１０７】
また遊技盤２００は、左側部２００ｂを前側に突出させる機構として、右側部２００ａに回動軸を有していてもよい。これにより、第１の状態から第２の状態に変化させる際に、遊技盤２００を前側に引き出したり本体１０４から取り外したりする必要がなくなる場合がある。
【符号の説明】
【０１０８】
１００  パチンコ機
１０４  本体
１０６  前面枠扉
１１２  ヒンジ部
１１６  開口部
１１８  透明板部材
１２４  遊技領域
２００  遊技盤
２３８、２３８ａ、２３８ｂ  遊技釘
３００  開口部
３１０  枠状部
３１２、５１０  遊技盤差込み部
３１６  遊技盤保持ヒンジ
４００  第１遊技盤差込み部
４０２  第２遊技盤差込み部
４０４、５１２  突起部
４０６、８００  係止部
４０８、８０２  被係止部
５０２  ピニオンギア
５０４  ラックギア
６００ａ、６００ｂ  スライド部材
６１０  遊技盤保持枠
７００  支持部材
９００  回動軸
【先行技術文献】
【特許文献】
【０１０９】
【特許文献１】特開平９−１７３５７２号公報
【特許文献２】特開２００８−２００３０２号公報
【図１】
2011072713.tif 000003
【図２】
2011072713.tif 000004
【図３】
2011072713.tif 000005
【図４】
2011072713.tif 000006
【図５】
2011072713.tif 000007
【図６】
2011072713.tif 000008
【図７】
2011072713.tif 000009
【図８】
2011072713.tif 000010
【図９】
2011072713.tif 000011
【図１０】
2011072713.tif 000012
【図１１】
2011072713.tif 000013
【図１２】
2011072713.tif 000014
【図１３】
2011072713.tif 000015
【図１４】
2011072713.tif 000016
【図１５】
2011072713.tif 000017
【図１６】
2011072713.tif 000018
【図１７】
2011072713.tif 000019